(57)【要約】【課題】騒音の低い電動送風機を提供すること。【解決手段】シャフト３に設けられた整流子１２とロータコア１０にロータ巻線１１が施されて構成されるロータ１４と、前記ロータ１４の外周に位置し磁束を発生するステータ９と、前記ステータ９を保持すると共に前記ロータ１４を回転自在に保持するブラケット１５と、前記シャフト３の一端に取着され複数の羽根４ａを有するインペラ４と、前記インペラ４の外周に位置し前記インペラ４から吐き出された風を整流するディフューザ５と、前記インペラ４と前記ディフューザ５を覆うケーシング６とを備え、前記ディフューザ５と前記ケーシング６との間に防音壁１７を設けたもので、電動送風機から発する騒音（特にインペラ４から吐き出される風の噴出し方向に発生する高周波音）を大幅に低減することができる。【選択図】図１
2012237219.tif 000002
【特許請求の範囲】
【請求項１】
シャフトに設けられた整流子とロータコアにロータ巻線が施されて構成されるロータと、前記ロータの外周に位置し磁束を発生するステータと、前記ステータを保持すると共に前記ロータを回転自在に保持するブラケットと、前記シャフトの一端に取着され複数の羽根を有するインペラと、前記インペラの外周に位置し前記インペラから吐き出された風を整流するディフューザと、前記インペラと前記ディフューザを覆うケーシングとを備え、前記ディフューザと前記ケーシングとの間に防音壁を設けた電動送風機。
【請求項２】
防音壁を複数の壁で構成し、前記複数の壁と壁との間に空気の閉空間を設けた請求項１に記載の電動送風機。
【請求項３】
複数で構成された防音壁と防音壁との間の少なくとも一つに防音材を設けた請求項２に記載の電動送風機。
【請求項４】
複数で構成された防音壁と防音壁との間でインペラ側に位置する空間の少なくとも一つに、通気性のある防音材を設け、かつ、  インペラ側に位置する前記防音壁を、複数の開口部を有するメッシュ状とした請求項３に記載の電動送風機。
【請求項５】
請求項１〜４のいずれか１項に記載の電動送風機を用いた電気掃除機。
【発明の詳細な説明】
【技術分野】
【０００１】
本発明は、電気掃除機用の電動送風機と電気掃除機に関するものである。
【背景技術】
【０００２】
従来の一般的な電動送風機の構成について、図６の図面を用いて説明する。
【０００３】
図６は、従来の電動送風機の構成を示す半断面図である。
【０００４】
図６に示すように、従来の電動送風機１は、電動機２と、電動機２の出力軸であるシャフト３の一端に設けられ複数の羽根４ａを有するインペラ４と、インペラ４の外周に位置するディフューザ５と、インペラ４とディフューザ５とを覆うケーシング６によって構成される。
【０００５】
電動機２は、ステータコア７にステータ巻線８を施してなるステータ９と、シャフト３に具備されるロータコア１０にロータ巻線１１を施し、整流子１２を同軸上に配置してシャフト３の両端に設けられた軸受１３によって回転自在に支持されたロータ１４と、ロータ１４の整流子１２に通電するカーボンブラシ１６から構成される。
【０００６】
ロータ１４は、軸受１３を介しブラケット１５に固定され、ステータ９は、ロータ１４を覆うようブラケット１５の内面に固定される。また、ケーシング６はインペラ４とディフューザ５を覆うようにブラケット１５の一端に圧入保持される。
【０００７】
上記のように構成された従来の電動送風機１が運転される場合、電動機２は、カーボンブラシ１６から整流子１２を通じてロータ巻線１１に通電される。そして、ステータ巻線８で生成される磁界と、ロータ巻線１１の磁界との作用によりロータ１４の回転位置が移動する。ロータ１４の回転位置が移動しても、整流子１２とカーボンブラシ１６が常に接触するように構成されているため、ロータ巻線１１への通電は継続され、ロータ１４の回転が継続するように電動機２は動作する。
【０００８】
この動作に連動してシャフト３に連結されたインペラ４の回転により、インペラ４内部が外気圧に対して負圧となり風を吸引する。吸引された風は、インペラ４の吸気口１８より進入し、ディフューザ５の通路、電動機２内部を通り、最終的には電動送風機１外部へと排出される（例えば、特許文献１参照）。
【先行技術文献】
【特許文献】
【０００９】
【特許文献１】特開２００６−１３２３６９号公報
【発明の概要】
【発明が解決しようとする課題】
【００１０】
しかしながら、上記従来の電動送風機の構成においては、電動送風機内部に防音構成を設けておらず、特に、インペラ４の羽根４ａの数と回転数との積の周波数で発する高周波音（電気掃除機特有のキーンという高い音）についての対応が不十分であった。
【００１１】
本発明は、前記従来の課題を解決するもので、騒音を大幅に低減した電動送風機及び電気掃除機を提供することを目的とする。
【課題を解決するための手段】
【００１２】
前記従来の課題を解決するために、本発明の電動送風機は、シャフトに設けられた整流子とロータコアにロータ巻線が施されて構成されるロータと、前記ロータの外周に位置し磁束を発生するステータと、前記ステータを保持すると共に前記ロータを回転自在に保持するブラケットと、前記シャフトの一端に取着され複数の羽根を有するインペラと、前記インペラの外周に位置し前記インペラから吐き出された風を整流するディフューザと、前記インペラと前記ディフューザを覆うケーシングとを備え、前記ディフューザと前記ケーシングとの間に防音壁を設けたもので、電動送風機から発する騒音（特に、インペラから吐き出される風の噴出し方向に発生する高周波音）を大幅に低減することができる。
【発明の効果】
【００１３】
本発明の電動送風機及び電気掃除機は、騒音を大幅に低減することができる。
【図面の簡単な説明】
【００１４】
【図１】本発明の実施の形態１における電動送風機の半断面図
【図２】本発明の実施の形態２における電動送風機の半断面図
【図３】本発明の実施の形態３における電動送風機の半断面図
【図４】本発明の実施の形態４における電動送風機の半断面図
【図５】本発明の実施の形態５における電気掃除機の構成図
【図６】従来の電動送風機の半断面図
【発明を実施するための形態】
【００１５】
第１の発明は、シャフトに設けられた整流子とロータコアにロータ巻線が施されて構成されるロータと、前記ロータの外周に位置し磁束を発生するステータと、前記ステータを保持すると共に前記ロータを回転自在に保持するブラケットと、前記シャフトの一端に取着され複数の羽根を有するインペラと、前記インペラの外周に位置し前記インペラから吐き出された風を整流するディフューザと、前記インペラと前記ディフューザを覆うケーシングとを備え、前記ディフューザと前記ケーシングとの間に防音壁を設けたもので、電動送風機から発する騒音（特に、インペラから吐き出される風の噴出し方向に発生する高周波音）を大幅に低減することができる。
【００１６】
第２の発明は、特に、第１の発明の防音壁を複数の壁で構成し、前記複数の壁と壁との間に空気の閉空間を設けたもので、防音壁からケーシング側へと透過する音を低減することができる。
【００１７】
第３の発明は、特に、第２の発明の複数で構成された防音壁と防音壁との間の少なくとも一つに防音材を設けたもので、防音壁からケーシング側へと透過する音をさらに低減することができる。
【００１８】
第４の発明は、特に、第３の発明の複数で構成された防音壁と防音壁との間でインペラ側に位置する空間の少なくとも一つに、通気性のある防音材を設け、かつ、  インペラ側に位置する前記防音壁を、複数の開口部を有するメッシュ状としたもので、インペラから吐き出された風が防音材を介することになり、さらに騒音を低減することができる。
【００１９】
第５の発明に係る電気掃除機は、請求項１〜４のいずれか１項に記載の電動送風機を用いたもので、低騒音な電気掃除機が実現できる。
【００２０】
以下、本発明の実施の形態について、図面を参照しながら説明する。なお、この実施の形態によって本発明が限定されるものではない。
【００２１】
（実施の形態１）
図１は、本発明の実施の形態１における電動送風機の半断面図である。なお、上記従来の電動送風機と同一構成部品については、同一符号を付して、その説明を省略する。
【００２２】
図１において、本実施の形態における電動送風機１は、電動機２と、電動機２の出力軸であるシャフト３の一端に設けられ複数の羽根４ａを有するインペラ４と、インペラ４の外周に位置するディフューザ５と、ディフューザ５の外周側とケーシング６側面内壁との間に位置する防音壁１７と、インペラ４とディフューザ５と防音壁１７とを覆うケーシング６によって構成される。
【００２３】
電動機２は、ステータコア７にステータ巻線８を施してなるステータ９と、シャフト３に具備されるロータコア１０にロータ巻線１１を施し、整流子１２を同軸上に配置してシャフト３の両端に設けられた軸受１３によって回転自在に支持されたロータ１４と、ロータ１４の整流子１２へと通電するカーボンブラシ１６から構成される。
【００２４】
ロータ１４は、軸受１３を介しブラケット１５に固定され、ステータ９は、ロータ１４を覆うようブラケット１５の内面に固定される。また、ケーシング６は、インペラ４とディフューザ５と防音壁１７を覆うようにブラケット１５の一端に圧入保持される。
【００２５】
上記のように構成された本実施の形態における電動送風機において、電動送風機１が運転される場合、電動機２は、カーボンブラシ１６から整流子１２を通じてロータ巻線１１に通電される。そして、ステータ巻線８で生成される磁界と、ロータ巻線１１の磁界との作用によりロータ１４の回転位置が移動する。ロータ１４の回転位置が移動しても、整流子１２とカーボンブラシ１６が常に接触するように構成されているため、ロータ巻線１１への通電は継続され、ロータ１４の回転が継続するように電動機２は動作する。
【００２６】
この動作に連動してシャフト３に連結されたインペラ４の回転により、インペラ４内部が外気圧に対して負圧となり風を吸引する。吸引された風は、インペラ４の吸気口１８より進入し、ディフューザ５の上流通路１９、防音壁１７の内壁側面２０、ディフューザ５の下流通路２１、電動機２内部を通り、最終的には、電動送風機１の外部へと排出される。
【００２７】
この際、インペラ４は、羽根４ａと回転数との積の周波数で発する高周波音を発しているが、この高周波音は、指向性を有しており、特に、インペラ４の風の吹き出し方向（遠心方向）に集中している。
【００２８】
そこで、本実施の形態のようにインペラ４の遠心方向、つまりはディフューザ５の外周側とケーシング６側面内壁との間に防音壁１７を設けることにより、高周波音を大幅に低減することができる。
【００２９】
以上のように、本実施の形態においては、電動送風機の騒音を大幅に低減することができる。
【００３０】
（実施の形態２）
図２は、本発明の実施の形態２における電動送風機の半断面図である。なお、上記実施の形態１における電動送風機と同一部分については、同一符号を付して、その説明を省略する。
【００３１】
本実施の形態における電動送風機は、図２に示すように、防音壁１７を複数壁とし、複数の防音壁１７の壁と壁との間に空気の閉空間２２を設けたものである。
【００３２】
これによって、同一部材の単純な防音壁１７に対して、壁と壁との間に、インペラ４から吐き出された風を進入させない閉空間２２を設けることにより、音の伝搬をさらに抑えることができる。
【００３３】
（実施の形態３）
図３は、本発明の実施の形態３における電動送風機の半断面図である。なお、上記実施の形態１、２における電動送風機と同一部分については、同一符号を付して、その説明を省略する。
【００３４】
本実施の形態における電動送風機は、図３に示すように、複数で構成された防音壁１７と防音壁１７との間に防音材２３を設けたものである。
これによって、単純空気の閉空間に対して、より音を伝搬しづらい防音材２３を配することで、より騒音を低下させることができる。
【００３５】
（実施の形態４）
図４は、本発明の実施の形態４における電動送風機の半断面図である。なお、上記実施の形態における電動送風機と同一部分については、同一符号を付して、その説明を省略する。
【００３６】
本実施の形態における電動送風機は、図４に示すように、複数で構成された防音壁１７と防音壁１７との間に通気性のある防音材２３を設け、かつ、  インペラ４側に位置する防音壁１７を、複数の開口部１７ａを有するメッシュ状２４としている。
【００３７】
これによって、インペラ４から吐き出された風は、防音壁１７のメッシュ状２４の開口部１７ａを通り、通気性のある防音材２３を通過した上で、電動送風機１の外部へ排出されるため、風自体の吸音を行うこととなり、さらに騒音を低下させることができる。
【００３８】
（実施の形態５）
図５は、本発明の実施の形態５における電気掃除機の構成図である。
【００３９】
本実施の形態における電気掃除機は、図５に示すように、掃除機本体３４と、掃除機本体３４と連通したホース３５と、ホース３５の一端と連通した延長管３６と、延長管３６の端部に設けた操作ハンドル３７と、延長管３６の一端と連通した床用吸込具３８とを備え、掃除機本体３４内には、吸引力を発生させる電動送風機１を内蔵し、この電動送風機１の上流側には、吸引した塵埃を貯める集塵室３９を有している。本実施の形態では、電動送風機１には、上記各実施の形態１〜４で示した電動送風機１のいずれかを用いているものである。
【００４０】
以上のように構成された本実施の形態における電気掃除機の動作について説明すると、使用者が操作ハンドル３７を持って電気掃除機の運転を開始すると、電動送風機１から吸引力が発生し、床面を移動する床用吸込具３８から塵埃を吸い込む。吸引された塵埃は、空気とともに延長管３６、ホース３５を経て集塵室３９へ流れ、集塵室３９で、塵埃と空気を分離し、塵埃を集塵室３９に貯め込み、空気だけを電動送風機１が吸引する。
【００４１】
電動送風機１が吸引した空気は、電動送風機１内部を通過し、さらに掃除機本体３４内部を通過して掃除機本体３４の外部へ排出される。
【００４２】
以上のように、本実施の形態における電気掃除機の掃除機本体３４は、騒音を大幅に低減した電動送風機１を内蔵しているので、低騒音で、快適な掃除ができる電気掃除機を提
供することが出来る。
【産業上の利用可能性】
【００４３】
以上のように、本発明にかかる電動送風機とそれを用いた電気掃除機は、電動送風機の騒音の低減が図れるので、電動送風機を用いる家庭用電化機器、産業機器等の用途にも幅広く適用できる。
【符号の説明】
【００４４】
１  電動送風機
２  電動機
３  シャフト
４  インペラ
４ａ  羽根
５  ディフューザ
６  ケーシング
７  ステータコア
８  ステータ巻線
９  ステータ
１０  ロータコア
１１  ロータ巻線
１２  整流子
１３  軸受
１４  ロータ
１５  ブラケット
１６  カーボンブラシ
１７  防音壁
１８  吸気口
１９  上流通路
２０  内壁側面
２１  下流通路
２２  閉空間
２３  防音材
２４  メッシュ状
３４  掃除機本体
３５  ホース
３６  延長管
３７  操作ハンドル
３８  床用吸込具
３９  集塵室
【図１】
2012237219.tif 000003
【図２】
2012237219.tif 000004
【図３】
2012237219.tif 000005
【図４】
2012237219.tif 000006
【図５】
2012237219.tif 000007
【図６】
2012237219.tif 000008